(57)【要約】【課題】電子ペーパーを傷付けることなく、効率的にその不良部を特定することができる電子ペーパーの不良部検出装置および電子ペーパーの不良部検出方法を提供する。【解決手段】本発明の不良部検出装置１０は、光透過性の天板１７が設けられたステージ１１と、多数の電極端子１９が設けられ、天板１７に対向して配置された電圧印加装置１２と、天板１７に載置された電子ペーパー３０の表示部を撮影する撮影装置１３と、撮影装置１３により撮影された電子ペーパー３０の表示部に関する画像の画像データを処理する画像処理装置１５と、撮影装置１３による画像データおよび画像処理装置により生成された画像処理データを記憶する記憶装置１４と、を備え、電圧印加装置１２において、多数の電極端子１９が、天板１７の一方の面１７ａに沿って等間隔に、この一辺１７ａの長さに亘って延在する端子列２０を少なくとも１列形成していることを特徴とする。【選択図】図１
2010107850.tif 000002
【特許請求の範囲】
【請求項１】
電気泳動型の電子ペーパーの不良部を検出するための電子ペーパーの不良部検出装置であって、
電気泳動型の電子ペーパーを載置するために用いられ、平面視四角形状かつ光透過性の天板が設けられたステージと、
前記天板の一面に対向し、該一面に載置された前記電子ペーパーに電圧を印加するための電極端子が多数設けられ、該電極端子と前記天板とが離隔するように、前記天板に対向して配置された電圧印加装置と、
前記ステージの内部に収容され、前記天板の一面に載置された前記電子ペーパーの表示部を撮影する撮影装置と、
前記撮影装置により撮影された前記電子ペーパーの表示部に関する画像の画像データを処理し、前記画像の画像処理データを生成する画像処理装置と、
前記撮影装置による画像データおよび前記画像処理装置により生成された画像処理データを記憶する記憶装置と、を備え、
前記電圧印加装置において、前記多数の電極端子が、前記天板の一面の一辺に沿って等間隔に、該一辺の長さに亘って延在する端子列を少なくとも１列形成していることを特徴とする電子ペーパーの不良部検出装置。
【請求項２】
前記電圧印加装置は、前記端子列の延在する方向と垂直方向に、前記天板の一面に沿って往復移動可能に配設されたことを特徴とする請求項１に記載の電子ペーパーの不良部検出装置。
【請求項３】
請求項１または２に記載の電子ペーパーの不良部検出装置を用いた電子ペーパーの不良部検出方法であって、
前記電圧印加装置により、前記電極端子から気中放電させて、前記天板の一面に載置された前記電子ペーパーに電圧を印加し、前記電子ペーパーの表示部の表示を切り替えるステップＡと、
前記撮影装置により、前記ステップＡにて表示を切り替えた前記電子ペーパーの表示部を撮影するステップＢと、
前記記憶装置に、前記ステップＢにて前記撮影装置により撮影された前記電子ペーパーの表示部に関する画像の画像データを記憶させるステップＣと、
前記画像処理装置により、前記ステップＣにて前記記憶装置に記憶させた前記画像データを処理し、前記画像の画像処理データを生成するステップＤと、
前記記憶装置に、前記ステップＤにて前記画像処理装置により生成された前記画像処理データを記憶させるステップＥと、
前記電圧印加装置により、前記電極端子から気中放電させて、前記天板の一面に載置された前記電子ペーパーに、前記ステップＡとは反対向きに電圧を印加し、前記電子ペーパーの表示部の表示を反転させるステップＦと、
前記撮影装置により、前記ステップＦにて表示を反転させた前記電子ペーパーの表示部を撮影するステップＧと、
前記記憶装置に、前記ステップＧにて前記撮影装置により撮影された前記電子ペーパーの表示部に関する画像の画像データを記憶させるステップＨと、
前記画像処理装置により、前記ステップＨにて前記記憶装置に記憶させた前記画像データを処理し、前記画像の画像処理データを生成するステップＩと、
前記記憶装置に、前記ステップＩにて前記画像処理装置により生成された前記画像処理データを記憶させるステップＪと、
前記ステップＥにおける前記画像処理データおよび前記ステップＪにおける前記画像処理データに基づいて、前記電圧印加装置により、前記電極端子から気中放電させて、前記天板の一面に載置された前記電子ペーパーに、前記ステップＦとは反対向きに電圧を印加し、前記電子ペーパーの表示部の不良部のみ表示を切り替えるステップＫと、
前記ステップＫにて表示を切り替えた前記電子ペーパーの表示部の不良部に目印を付けるステップＬと、を有することを特徴とする電子ペーパーの不良部検出方法。
【発明の詳細な説明】
【技術分野】
【０００１】
本発明は、電気泳動現象を利用した電気泳動型の電子ペーパーの不良部を特定する電子ペーパーの不良部検出装置およびそれを用いた電子ペーパーの不良部検出方法に関するものである。
【背景技術】
【０００２】
電気泳動型の電子ペーパーの表示が不良の箇所（以下、「不良部」と言う。）を特定する際、電子ペーパーの表示を切り替えて初めて不良部と判断できる場合が多い。そのため、従来、電子ペーパーの両面に電極を貼付するか、あるいは、電子ペーパーに簡易的に電極を貼付し、この電極を介して、電子ペーパーに電圧を印加し、電子ペーパーの表示を切り替えていた。そして、不良部の有無を確認した後、電子ペーパーから電極を剥がす必要があった（例えば、特許文献１参照）。
【特許文献１】特開２００６−０１７５７１号公報
【発明の開示】
【発明が解決しようとする課題】
【０００３】
しかしながら、上述のように、一旦、電子ペーパーに電極を貼付すると、電子ペーパーに塵が侵入したり、電子ペーパーの表面（表示部）が傷付いたりするなど、性能の劣化を招くおそれがあった。
また、電子ペーパーの不良部を特定するには、目視により判断して、その不良部にペンなどで印を付けるなどの人為的行為が必要であり、効率的ではなかった。
【０００４】
本発明は、上記事情に鑑みてなされたものであって、電子ペーパーを傷付けることなく、効率的に電子ペーパーの不良部を特定することができる電子ペーパーの不良部検出装置およびそれを用いた電子ペーパーの不良部検出方法を提供することを目的とする。
【課題を解決するための手段】
【０００５】
本発明の電子ペーパーの不良部検出装置は、電気泳動型の電子ペーパーの不良部を検出するための電子ペーパーの不良部検出装置であって、電気泳動型の電子ペーパーを載置するために用いられ、平面視四角形状かつ光透過性の天板が設けられたステージと、前記天板の一面に対向し、該一面に載置された前記電子ペーパーに電圧を印加するための電極端子が多数設けられ、該電極端子と前記天板とが離隔するように、前記天板に対向して配置された電圧印加装置と、前記ステージの内部に収容され、前記天板の一面に載置された前記電子ペーパーの表示部を撮影する撮影装置と、前記撮影装置により撮影された前記電子ペーパーの表示部に関する画像の画像データを処理し、前記画像の画像処理データを生成する画像処理装置と、前記撮影装置による画像データおよび前記画像処理装置により生成された画像処理データを記憶する記憶装置と、を備え、前記電圧印加装置において、前記多数の電極端子が、前記天板の一面の一辺に沿って等間隔に、該一辺の長さに亘って延在する端子列を少なくとも１列形成していることを特徴とする。
【０００６】
前記電圧印加装置は、前記端子列の延在する方向と垂直方向に、前記天板の一面に沿って往復移動可能に配設されたことが好ましい。
【０００７】
本発明の電子ペーパーの不良部検出方法は、本発明の電子ペーパーの不良部検出装置を用いた電子ペーパーの不良部検出方法であって、前記電圧印加装置により、前記電極端子から気中放電させて、前記天板の一面に載置された前記電子ペーパーに電圧を印加し、前記電子ペーパーの表示部の表示を切り替えるステップＡと、前記撮影装置により、前記ステップＡにて表示を切り替えた前記電子ペーパーの表示部を撮影するステップＢと、前記記憶装置に、前記ステップＢにて前記撮影装置により撮影された前記電子ペーパーの表示部に関する画像の画像データを記憶させるステップＣと、前記画像処理装置により、前記ステップＣにて前記記憶装置に記憶させた前記画像データを処理し、前記画像の画像処理データを生成するステップＤと、前記記憶装置に、前記ステップＤにて前記画像処理装置により生成された前記画像処理データを記憶させるステップＥと、前記電圧印加装置により、前記電極端子から気中放電させて、前記天板の一面に載置された前記電子ペーパーに、前記ステップＡとは反対向きに電圧を印加し、前記電子ペーパーの表示部の表示を反転させるステップＦと、前記撮影装置により、前記ステップＦにて表示を反転させた前記電子ペーパーの表示部を撮影するステップＧと、前記記憶装置に、前記ステップＧにて前記撮影装置により撮影された前記電子ペーパーの表示部に関する画像の画像データを記憶させるステップＨと、前記画像処理装置により、前記ステップＨにて前記記憶装置に記憶させた前記画像データを処理し、前記画像の画像処理データを生成するステップＩと、前記記憶装置に、前記ステップＩにて前記画像処理装置により生成された前記画像処理データを記憶させるステップＪと、前記ステップＥにおける前記画像処理データおよび前記ステップＪにおける前記画像処理データに基づいて、前記電圧印加装置により、前記電極端子から気中放電させて、前記天板の一面に載置された前記電子ペーパーに、前記ステップＦとは反対向きに電圧を印加し、前記電子ペーパーの表示部の不良部のみ表示を切り替えるステップＫと、前記ステップＫにて表示を切り替えた前記電子ペーパーの表示部の不良部に目印を付けるステップＬと、を有することを特徴とする。
【発明の効果】
【０００８】
本発明の電子ペーパーの不良部検出装置は、電子ペーパーを載置するためのステージの天板の一面の一辺に沿って等間隔に、その一辺の長さに亘って延在する少なくとも１列の端子列を形成する多数の電極端子が設けられた電圧印加装置を有する電圧印加装置が、端子列の延在する方向と垂直方向に、天板の一面に沿って往復移動可能に配設されているので、電子ペーパーの表示部の表面（表示面）側のみに電極を設けるだけで、電子ペーパーに電圧を印加することができるので、電子ペーパーをフィルム状態のまま表示を切り替えることができる。したがって、電子ペーパーの表示面とは反対側の面に剥離紙などの保護シートを貼付した状態でも、電子ペーパーの表示を切り替えることができる。ゆえに、電子ペーパーを傷付けることなく、効率的に電子ペーパーの不良部を検出することができる。
【０００９】
本発明の電子ペーパーの不良部検出方法は、本発明の電子ペーパーの不良部検出装置を用いて、電圧印加装置により、天板の一面に載置された電子ペーパーに正または負の電圧を印加して、電子ペーパーの表示部全面を変色させるたびごとに、撮影装置により、電子ペーパーの表示部を撮影し、画像処理装置により電子ペーパーの表示部に関する画像の画像データを処理して画像処理データを生成し、生成した画像処理データに基づいて、電圧印加装置により、電子ペーパーに正の電圧を印加し、電子ペーパーの表示部の不良部のみ表示を切り替えて、表示を切り替えた電子ペーパーの表示部の不良部に目印を付けるので、電子ペーパーをフィルム状態のまま表示を切り替えることができる。したがって、電子ペーパーの表示面とは反対側の面に剥離紙などの保護シートを貼付した状態でも、電子ペーパーの表示を切り替えることができる。ゆえに、電子ペーパーを傷付けることなく、効率的に電子ペーパーの不良部を検出することができる。さらに、電子ペーパーに一旦電圧を印加すると表示がそのまま残る性質（表示メモリー性）を利用して、自動的に不良部に目印を付けることができる。
【発明を実施するための最良の形態】
【００１０】
本発明の電子ペーパーの不良部検出装置およびそれを用いた電子ペーパーの不良部検出方法の最良の形態について説明する。
なお、この形態は、発明の趣旨をより良く理解させるために具体的に説明するものであり、特に指定のない限り、本発明を限定するものではない。
【００１１】
（電子ペーパーの不良部検出装置）
図１は、本発明の電子ペーパーの不良部検出装置の一実施形態を示す概略図であり、（ａ）は平面図、（ｂ）は（ａ）のＡ−Ａ線に沿う断面図である。
この実施形態の電子ペーパーの不良部検出装置（以下、「不良部検出装置」と言うこともある。）１０は、ステージ１１と、電圧印加装置１２と、撮影装置１３と、記憶装置１４と、画像処理装置１５とから概略構成されている。
【００１２】
ステージ１１は、外形が直方体状であり、一面が開口した筐体であるステージ本体１６と、このステージ本体１６の開口部を覆い、ステージ１１における電子ペーパーの載置面（上面）をなす天板１７とから構成されている。
また、天板１７は、平面視四角形状、かつ、光透過性のガラスや樹脂からなるものである。
なお、ここで光透過性とは、天板１７の一方の面１７ａに載置された電子ペーパー３０の表示部における表示の状態（変色の状態）を、この天板１１を介して撮影装置１３によって撮影可能な程度の光透過性をいう。
【００１３】
電圧印加装置１２は、天板１７の一方の面１７ａの一辺１７ｂの長さとほぼ等しく、外形が直方体状の装置本体１８と、この装置本体１８の天板１７と対向する面（以下、「一方の面」と言う。）１８ａから垂下し、天板１７の一方の面１７ａに対向するように多数設けられた電極端子１９とから構成されている。この多数の電極端子１９は、天板１７の一方の面１７ａの一辺１７ｂに沿って等間隔に、その一辺１７ｂの長さに亘って延在する１列の端子列を形成している。また、電極端子１９は、天板１７の一方の面１７ａに載置された電子ペーパー３０に、正または負の電圧を印加するためのものである。
【００１４】
また、電圧印加装置１２は、電極端子１９と天板１７とが離隔するように、すなわち、電極端子１９と天板１７の一方の面１７ａに載置された電子ペーパー３０とが接することなく、これらの間に所定の間隔が設けられるように、天板１７の一方の面１７ａに対向して配置されている。
【００１５】
電極端子１９同士の間隔は、この電極端子１９から気中放電させて、天板１７の一方の面１７ａに載置された電子ペーパー３０に電圧を印加する際、１本の電極端子１９が印加する電圧の大きさや、電子ペーパー３０における電圧が印加される領域（表示を切り替える領域）などに応じて、適宜設定される。
【００１６】
また、電圧印加装置１２は、多数の電極端子１９からなる端子列２０の延在する方向と垂直方向（図１（ａ）に示す矢印方向）、すなわち、天板１７の一方の面１７ａの他辺１７ｃ方向に、天板１７の一方の面１７ａに沿って往復移動可能に配設されている。
【００１７】
撮影装置１３は、天板１７の一方の面１７ａに載置された電子ペーパー３０の表示を撮影するためのものであり、ステージ１１のステージ本体１６の内部に収容され、天板１７の電子ペーパー３０が載置される領域全域に対応するように、マトリックス状（格子状）をなして等間隔に複数配設されている。
【００１８】
撮影装置１３としては、電子ペーパー３０の表示部に関する画像をデジタル信号化して画像データとすることができるものが用いられ、例えば、ＣＣＤ（Ｃｈａｒｇｅ  Ｃｏｕｐｌｅｄ  Ｄｅｖｉｃｅ、電荷結合素子）イメージセンサー、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ、相補型金属酸化物半導体）イメージセンサーなどの撮像素子を備えたカメラなどが用いられる。
【００１９】
記憶装置１４は、撮影装置１３により撮影された電子ペーパー３０の表示部に関する画像の画像データ、および、後述する画像処理装置１５により処理された画像処理データを記憶するためのものであり、ケーブル２１を介して撮影装置１３や、装置全体の動作を制御する制御装置（図示略）などと接続され、ケーブル２２を介して画像処理装置１５と接続されている。
【００２０】
画像処理装置１５は、撮影装置１３により撮影された電子ペーパー３０の表示部に関する画像の画像データを処理し、その画像の画像処理データを生成するためのものであり、ケーブル２１，２３を介して撮影装置１３や上記の制御装置などと接続され、ケーブル２２を介して記憶装置１４と接続されている。
【００２１】
この不良部検出装置１０によれば、電子ペーパー３０を載置するためのステージ１１の天板１７の一方の面１７ａの一辺１７ｂに沿って等間隔に、その一辺１７ｂの長さに亘って延在する１列の端子列を形成する多数の電極端子１９が設けられた電圧印加装置１２を有し、この電圧印加装置１２が、端子列２０の延在する方向と垂直方向に、天板１７の一方の面１７ａに沿って往復移動可能に配設されているので、電子ペーパー３０の表示部の表面（表示面）側のみに電極を設けるだけで、電子ペーパー３０に電圧を印加することができるので、電子ペーパー３０をフィルム状態のまま表示を切り替えることができる。したがって、電子ペーパー３０の表示面とは反対側の面に剥離紙などの保護シートを貼付した状態でも、電子ペーパー３０の表示を切り替えることができる。ゆえに、電子ペーパー３０を傷付けることなく、効率的に電子ペーパー３０の不良部を検出することができる。
【００２２】
なお、この実施形態では、天板１７の一方の面１７ａの一辺１７ｂに沿って等間隔に、この一辺１７ｂの長さに亘って１列延在するように多数の電極端子１９が設けられた電圧印加装置１２を有し、この電圧印加装置１２が、多数の電極端子１９の延在する方向と垂直方向に、天板１７の一方の面１７ａ沿って往復移動可能に配設されている不良部検出装置１０を例示したが、本発明の不良部検出装置はこれに限定されるものではない。本発明の不良部検出装置にあっては、電圧印加装置に、天板の一方の面の一辺に沿って等間隔に、この一辺の長さに亘って延在する多数の電極端子からなる端子列が２列以上設けられていてもよく、特に、多数の電極端子が天板の一方の面における電子ペーパーが載置される領域全域に対応するように、マトリックス状（格子状）をなして等間隔に設けられていてもよい。また、このように多数の電極端子がマトリックス状（格子状）をなして等間隔に設けられている場合、電圧印加装置を移動可能とする必要がなく、電極端子がステージの天板に対向するように配設されていればよい。
【００２３】
また、この実施形態では、撮影装置１３が天板１７の一方の面１７ａに電子ペーパー３０が載置される領域全域に対応するように、マトリックス状（格子状）をなして等間隔に複数設けられている不良部検出装置１０を例示したが、本発明の不良部検出装置はこれに限定されるものではない。本発明の不良部検出装置にあっては、天板の一方の面に載置された電子ペーパーの表示部全面を撮影することができれば、撮影装置の数は限定されない。
【００２４】
（電子ペーパーの不良部検出方法）
次に、図１〜７を参照して、本発明の電子ペーパーの不良部検出方法の一実施形態を説明する。
この実施形態の電子ペーパーの不良部検出方法は、上述の電子ペーパーの不良部検出装置を用いた電子ペーパーの不良部検出方法である。
【００２５】
まず、不良部検出装置１０のステージ１１の天板１７の一方の面１７ａに、電気泳動型の電子ペーパー３０を載置する。このとき、電子ペーパー３０の表示面３０ａは、図２に示すように表示が切り替わっていない。
この際、電子ペーパー３０の表示面３０ａを、天板１７の一方の面１７ａにする。
なお、電子ペーパー３０は、表示面３０ａ側のみにスズドープ酸化インジウム（ＩＴＯ：Ｉｎｄｉｕｍ  Ｔｉｎ  Ｏｘｉｄｅ）、フッ素ドープ酸化スズ（ＦＴＯ：Ｆｌｕｏｒｉｄｅ−ｄｏｐｅｄ  ＴｉｎＯｘｉｄｅ）、アンチモンドープ酸化スズ（ＡＴＯ：Ａｎｔｉｍｏｎｙ−ｄｏｐｅｄ  Ｔｉｎ  Ｏｘｉｄｅ）、アルミニウムドープ酸化亜鉛（ＡＺＯ：Ａｌｕｍｉｎｕｍ−ｄｏｐｅｄ  Ｚｉｎｃ Ｏｘｉｄｅ）、ガリウムドープ酸化亜鉛（ＧＺＯ：Ｇａｌｌｉｕｍ−ｄｏｐｅｄ  Ｚｉｎｃ Ｏｘｉｄｅ）などの導電性金属酸化物の薄膜からなる透明電極が設けられて、表示面３０ａとは反対面側には電極が設けられていないものである。
【００２６】
次いで、天板１７の一方の面１７ａに載置された電子ペーパー３０に対して、電圧印加装置１２を所定の位置まで接近させて、電子ペーパー３０と電極端子１９との間隔を所定の間隔とした後、電圧印加装置１２により、電極端子１９から静電気を気中放電させて、天板１７の一方の面１７ａに載置された電子ペーパー３０に、瞬間的に電圧を印加し、電子ペーパー３０の表示部全面の表示を切り替える（ステップＡ）。
この際、まず、電圧印加装置１２を、電子ペーパー３０の一端部に配置して、端子列２０によって電子ペーパー３０に電圧を印加可能な領域（以下、「電圧印加領域」と言う。）に電圧を印加した後、電圧印加装置１９を、電圧印加領域に相当する距離を天板１７の一方の面１７ａの他辺１７ｃ方向に移動させるという過程を繰り返して、電子ペーパー３０の表示部全面の表示を切り替える。その結果、電子ペーパー３０の表示面３０ａには、例えば、図３に示すように、複数の表示が切り替わっていない部分（不良部）３１Ａ，３１Ｂ，３１Ｃ，３１Ｄ，３１Ｅ，３１Ｆ，３１Ｇが存在する。
【００２７】
また、この際、電子ペーパー３０に印加する電圧を、例えば、正の電圧とする。また、１本の電極端子１９から電子ペーパー３０に印加する電圧は特に限定されず、例えば、１本の電極端子１９から電子ペーパー３０に印加する電圧の大きさや、１本の電極端子１９から電子ペーパー３０における電圧が印加される領域（表示を切り替える領域）などに応じて、適宜設定される。
【００２８】
次いで、撮影装置１３により、ステップＡにて表示を切り替えた電子ペーパー３０の表示部を撮影する（ステップＢ）。
この際、図４に示すように、電子ペーパー３０の表示面３０ａの不良部３１Ａ，３１Ｂ，３１Ｃ，３１Ｄ，３１Ｅ，３１Ｆ，３１Ｇの位置を特定しておく。
【００２９】
次いで、記憶装置１４に、ステップＢにて撮影装置１３により撮影された電子ペーパー３０の表示部に関する画像の画像データを記憶させる（ステップＣ）。
【００３０】
次いで、画像処理装置１５により、ステップＣにて記憶装置１４に記憶させた電子ペーパー３０の表示部に関する画像の画像データを処理し、その画像の画像処理データを生成する（ステップＤ）。
【００３１】
次いで、記憶装置１４に、ステップＤにて画像処理装置１５により生成した画像処理データを記憶させる（ステップＥ）。
【００３２】
次いで、電圧印加装置１２により、電極端子１９から静電気を気中放電させて、天板１７の一方の面１７ａに載置された電子ペーパー３０に、ステップＡとは反対向き（負の電圧）に瞬間的に電圧を印加し、電子ペーパー３０の表示部全面の表示を反転させる（ステップＦ）。
この際、まず、電圧印加装置１２を、電子ペーパー３０の一端部に配置して、電子ペーパー３０の電圧印加領域に電圧を印加した後、電圧印加装置１９を、電圧印加領域に相当する距離を天板１７の一方の面１７ａの他辺１７ｃ方向に移動させるという過程を繰り返して、電子ペーパー３０の表示部全面の表示を反転させる。その結果、電子ペーパー３０の表示面３０ａには、例えば、図５に示すように、複数の表示が切り替わっていない部分（不良部）３２Ａ，３２Ｂ，３２Ｃが存在する。
また、この際、電子ペーパー３０に印加する電圧を、ステップＡとは反対の負の電圧とする。
【００３３】
次いで、撮影装置１３により、ステップＦにて変色させた電子ペーパー３０の表示部を撮影する（ステップＧ）。
この際、図６に示すように、電子ペーパー３０の表示面３０ａの不良部３２Ａ，３２Ｂ，３２Ｃの位置を特定しておく。
【００３４】
次いで、記憶装置１４に、ステップＧにて撮影装置１３により撮影された電子ペーパー３０の表示部に関する画像の画像データを記憶させる（ステップＨ）。
【００３５】
次いで、画像処理装置１５により、ステップＨにて記憶装置１４に記憶させた電子ペーパー３０の表示部に関する画像の画像データを処理し、その画像の画像処理データを生成する（ステップＩ）。
【００３６】
次いで、記憶装置１４に、ステップＩにて画像処理装置１５により生成した画像処理データを記憶させる（ステップＪ）。
【００３７】
次いで、ステップＥにて記憶装置１４に記憶させた画像処理データおよびステップＪにて記憶装置１４に記憶させた画像処理データに基づいて、電圧印加装置１２により、電極端子１９から静電気を気中放電させて、天板１７の一方の面１７ａに載置された電子ペーパー３０に、ステップＦとは反対向き（正の電圧）に瞬間的に電圧を印加し、図７に示すように、電子ペーパー３０の表示部の不良部３１Ａ，３１Ｂ，３１Ｃ，３１Ｄ，３１Ｅ，３１Ｆ，３１Ｇ，３２Ａ，３２Ｂ，３２Ｃのみ表示を切り替える（ステップＫ）。
【００３８】
次いで、ステップＫにて表示を切り替えた電子ペーパー３０の表示部の不良部３１Ａ，３１Ｂ，３１Ｃ，３１Ｄ，３１Ｅ，３１Ｆ，３１Ｇ，３２Ａ，３２Ｂ，３２Ｃに目印（図７に示す各不良部を囲んだ破線）を付ける（ステップＬ）。
【００３９】
この実施形態の電子ペーパーの不良部検出方法によれば、電圧印加装置１２により、天板１７の一方の面１７ａに載置された電子ペーパー３０に正または負の電圧を印加して、電子ペーパー３０の表示部全面の表示を切り替えるたびごとに、撮影装置１３により、電子ペーパー３０の表示部を撮影し、画像処理装置１５により電子ペーパー３０の表示部に関する画像の画像データを処理して画像処理データを生成し、生成した画像処理データに基づいて、電圧印加装置１２により、電子ペーパー３０に正の電圧を印加し、電子ペーパー３０の表示部の不良部のみ表示を切り替えて、表示を切り替えた電子ペーパー３０の表示部の不良部３１Ａ，３１Ｂ，３１Ｃ，３１Ｄ，３１Ｅ，３１Ｆ，３１Ｇ，３２Ａ，３２Ｂ，３２Ｃに目印を付けるので、電子ペーパー３０をフィルム状態のまま表示を切り替えることができる。したがって、電子ペーパー３０の表示面とは反対側の面に剥離紙などの保護シートを貼付した状態でも、電子ペーパー３０の表示を切り替えることができる。ゆえに、電子ペーパー３０を傷付けることなく、効率的に電子ペーパー３０の不良部を検出することができる。さらに、電子ペーパー３０に一旦電圧を印加すると表示がそのまま残る性質（表示メモリー性）を利用して、自動的に不良部に目印を付けることができる。
【図面の簡単な説明】
【００４０】
【図１】本発明の電子ペーパーの不良部検出装置の一実施形態を示す概略図であり、（ａ）平面図、（ｂ）は（ａ）のＡ−Ａ線に沿う断面図である。
【図２】本発明の電子ペーパーの不良部検出方法の一実施形態を示す概略平面図である。
【図３】本発明の電子ペーパーの不良部検出方法の一実施形態を示す概略平面図である。
【図４】本発明の電子ペーパーの不良部検出方法の一実施形態を示す概略平面図である。
【図５】本発明の電子ペーパーの不良部検出方法の一実施形態を示す概略平面図である。
【図６】本発明の電子ペーパーの不良部検出方法の一実施形態を示す概略平面図である。
【図７】本発明の電子ペーパーの不良部検出方法の一実施形態を示す概略平面図である。
【符号の説明】
【００４１】
１０・・・電子ペーパーの不良部検出装置、１１・・・ステージ、１２・・・電圧印加装置、１３・・・撮影装置、１４・・・記憶装置、１５・・・画像処理装置、１６・・・ステージ本体、１７・・・天板、１８・・・装置本体、１９・・・電極端子、２０・・・端子列、２１，２２，２３・・・ケーブル、３０・・・電子ペーパー。
【図１】
2010107850.tif 000003
【図２】
2010107850.tif 000004
【図３】
2010107850.tif 000005
【図４】
2010107850.tif 000006
【図５】
2010107850.tif 000007
【図６】
2010107850.tif 000008
【図７】
2010107850.tif 000009